(57)【要約】      （修正有）【課題】取り付け作業が容易であり、短時間でセッティングを行うことができる装飾用カーテンを提供する。【解決手段】背景カーテン１の背面１ａに袋状マグネット収納ポケット６を連続的に形成し、ポケット６の各々にマグネットＭを収納して帯状磁気吸着部７を形成する。帯状磁気吸着部７を水平金属製ポール５に磁気吸着力により装着し、背景カーテン１の上縁の３箇所と対応するポール５とを連結する連結ベルト１１を設ける。背景カーテン１の前面１ｂの上縁部に沿って一方側面ファスナー１５を設け、ドレープカーテン２，２’の上縁部の背面２ｄに一方側面ファスナー１５に接合可能な他方側面ファスナー１６を設ける。ドレープカーテン２，２’をポール５に装着された背景カーテン１の前面１ｂに両面ファスナー１５，１６により装着する。【選択図】図２
0003174258.tif 000002
【実用新案登録請求の範囲】
【請求項１】
背景幕を構成する背景カーテンと、該背景カーテンの前面に装着されるドレープカーテンとから構成される装飾カーテンにおいて、
上記背景カーテンの背面の上縁部の左右方向の全域に亘り、袋状に区画された複数の袋状マグネット収納ポケットを所定間隔で連続的に形成し、上記袋状マグネット収納ポケットの各々にマグネットを収納することで、上記複数のマグネットが所定間隔で左右方向に連続的に並設する帯状磁気吸着部を形成し、
上記背景カーテンの上記帯状磁気吸着部を、上記ポケットの形成生地を介して金属製水平装着部に磁気吸着力により装着可能とし、
上記背景カーテンの上記上縁部と対応する上記金属製水平装着部の１箇所〜３箇所の内の何れかの箇所を連結する連結ベルトを設け、
かつ上記背景カーテンの上記前面であって、上記背景カーテンの上記上縁部に沿って一方側面ファスナーを設け、
上記ドレープカーテンの上縁部の背面に上記一方側面ファスナーに接合可能な他方側面ファスナーを設け、
上記ドレープカーテンの上記他方側面ファスナーを上記金属製水平装着部に装着された上記背景カーテンの上記一方側面ファスナーに接続することで、上記ドレープカーテンを上記背景カーテンの上記前面に装着可能に構成したものであることを特徴する装飾用カーテン。
【請求項２】
上記背景カーテンの上記前面に装着された上記ドレープカーテンの前面にさらに他のドレープカーテンを装着することにより構成されるものであって、
上記背景カーテンに装着された上記ドレープカーテンの上縁部の上記前面に一方側面ファスナーを設け、
上記他のドレープカーテンの上縁部の背面に上記ドレープカーテンの上記一方側面ファスナーに接合可能な他方側面ファスナーを設け、
上記他のドレープカーテンの上記他方側面ファスナーを、上記背景カーテンに装着された上記ドレープカーテンの上記前面の上記一方側面ファスナーに接続することにより、上記他のドレープカーテンを上記ドレープカーテンの上記前面に装着可能に構成したものであることを特徴とする請求項１記載の装飾用カーテン。
【請求項３】
上記背景カーテンの上記前面であって、上記背景カーテンの上記上縁部の中央部にタペストリー用の一方側面ファスナーを設け、
タペストリーの上縁部の背面に上記タペストリー用の一方側面ファスナーに接合可能な他方側面ファスナーを設け、
上記タペストリーの上記他方側面ファスナーを、上記金属製水平装着部に装着された上記背景カーテンの上記タペストリー用の一方側面ファスナーに接続することにより、上記タペストリーを上記背景カーテンの上記前面の中央部に装着可能に構成したものであることを特徴とする請求項１又は２記載の装飾用カーテン。
【請求項４】
上記ドレープカーテンは左右対称形状のものを一対に設け、
左右一対の上記各ドレープカーテンを上記背景カーテンの左右位置に左右対称に装着したものであることを特徴とする請求項１〜３の何れかに記載の装飾用カーテン。
【考案の詳細な説明】
【技術分野】
【０００１】
本考案は、例えば結婚披露宴の雛壇の背景に装飾用等として設置される装飾用カーテンに関するものである。
【背景技術】
【０００２】
従来、この種の装飾用カーテンとしては、雛壇の背後の天井から昇降自在に設けられた１本の水平ポールにホリゾント幕としての幅の広いカーテンの上縁を取り付け、その前面側の左右にドレープの入ったカーテンを取り付け、上記ホリゾント幕の中央部にタペストリーを取り付けることにより構成されていた。
【０００３】
上記ホリゾント幕、上記ドレープカーテンの上記水平ポールへの取付けは、上記ホリゾント幕、ドレープカーテンの各々の上縁にバックル付きの着脱ベルトを一定間隔で多数本並設し、これら着脱ベルトを上記水平ポールに１つずつ巻き付けて各バックルを結合していくことにより行われていた。
【０００４】
または、カーテンの上縁に多数の係合フックを取り付け、上記水平ポールには上記フックに対応する多数の係合リングを設け、上記各カーテンの係合フックを１つずつ上記ポールの係合リングに係合してくことにより上記各カーテンの上記水平ポールへの取付が行われていた（例えば特許文献１）。
【先行技術文献】
【特許文献】
【０００５】
【特許文献１】特開２００３−２９００２１号
【考案の概要】
【考案が解決しようとする課題】
【０００６】
ところで、上記着脱ベルトは上記ホリゾント幕の上縁に約２０本、その他ドレープカーテンの上縁に約１０本程度存在し、これら多数の着脱ベルトを上記水平ポールに一つずつ巻き付けて各々のバックルを装着していく作業が必要であるため、作業性が悪く、ホリゾント幕を含む全てのカーテンの装着が終了するまでに多くの時間を要するという課題がある。
【０００７】
また、係合フックを係合リングに係合するタイプのカーテンであっても、係合フックの数が極めて多数であるため、全ての係合フックを対応する係合リングに係合し終わるまでには多くの時間を要するという課題がある。
【０００８】
このように従来の装飾用カーテンは、現場におけるセッティング作業に多大の時間を要するため、より短時間でセッティングの終了する装飾用カーテンが望まれていた。
【０００９】
本考案は、上記従来の課題に鑑みてなされたものであり、マグネット及び面ファスナーを利用することにより、例えば複数枚の多重のカーテンから構成される装飾用のカーテンであっても、現場の取り付け作業が極めて容易であり、短時間でセッティングを行うことができる装飾用カーテンを提供することを目的とする。
【課題を解決するための手段】
【００１０】
上記の目的を達成するため本考案は、
第１に、背景幕を構成する背景カーテンと、該背景カーテンの前面に装着されるドレープカーテンとから構成される装飾カーテンにおいて、上記背景カーテンの背面の上縁部の左右方向の全域に亘り、袋状に区画された複数の袋状マグネット収納ポケットを所定間隔で連続的に形成し、上記袋状マグネット収納ポケットの各々にマグネットを収納することで、上記複数のマグネットが所定間隔で左右方向に連続的に並設する帯状磁気吸着部を形成し、上記背景カーテンの上記帯状磁気吸着部を、上記ポケットの形成生地を介して金属製水平装着部に磁気吸着力により装着可能とし、上記背景カーテンの上記上縁部と対応する上記金属製水平装着部の１箇所〜３箇所の内の何れかの箇所を連結する連結ベルトを設け、かつ上記背景カーテンの上記前面であって、上記背景カーテンの上記上縁部に沿って一方側面ファスナーを設け、上記ドレープカーテンの上縁部の背面に上記一方側面ファスナーに接合可能な他方側面ファスナーを設け、上記ドレープカーテンの上記他方側面ファスナーを上記金属製水平装着部に装着された上記背景カーテンの上記一方側面ファスナーに接続することで、上記ドレープカーテンを上記背景カーテンの上記前面に装着可能に構成したものであることを特徴する装飾用カーテンにより構成される。
【００１１】
上記金属製水平装着部は例えば水平金属製ポール（５）により構成することができる。上記連結ベルトは例えばバックル付着脱ベルト（１１）により構成することができる。上記背景カーテンの上記上縁部と対応する上記金属製水平装着部の１箇所〜３箇所の内の何れかの箇所を連結する連結ベルトは、例えば、上記背景カーテン（１）の上縁中央部の１箇所と対応する上記金属製水平装着部、又は上記背景カーテン（１）の上縁部左右の２箇所と対応する上記金属製水平装着部、又は上記背景カーテン（１）の上縁中央部及び上縁両端部の３箇所と対応する上記金属製水平装着部、とを連結する連結ベルトとすることができる。このように構成すると、背景カーテンの帯状磁気吸着部を金属製水平装着部に磁気的に吸着することにより装着が可能であり、さらにドレープカーテンを面ファスナーにより背景カーテンに装着可能であるため、装飾用カーテンのセッティングを短時間に行うことができる。
【００１２】
第２に、上記背景カーテンの上記前面に装着された上記ドレープカーテンの前面にさらに他のドレープカーテンを装着することにより構成されるものであって、上記背景カーテンに装着された上記ドレープカーテンの上縁部の上記前面に一方側面ファスナーを設け、上記他のドレープカーテンの上縁部の背面に上記ドレープカーテンの上記一方側面ファスナーに接合可能な他方側面ファスナーを設け、上記他のドレープカーテンの上記他方側面ファスナーを、上記背景カーテンに装着された上記ドレープカーテンの上記前面の上記一方側面ファスナーに接続することにより、上記他のドレープカーテンを上記ドレープカーテンの上記前面に装着可能に構成したものであることを特徴とする上記第１記載の装飾用カーテンにより構成される。
【００１３】
このように構成すると、他のドレープカーテンのドレープカーテンへの装着も、面ファスナー同士の接続により簡単に行うことができ、多数の着脱ベルトの装着部への結合、或いは多数の係合フックの係合リングへの係合等の作業を行うことなく、装飾用カーテンのセッティングを短時間で行うことができる。
【００１４】
第３に、上記背景カーテンの上記前面であって、上記背景カーテンの上記上縁部の中央部にタペストリー用の一方側面ファスナーを設け、タペストリーの上縁部の背面に上記タペストリー用の一方側面ファスナーに接合可能な他方側面ファスナーを設け、上記タペストリーの上記他方側面ファスナーを、上記金属製水平装着部に装着された上記背景カーテンの上記タペストリー用の一方側面ファスナーに接続することにより、上記タペストリーを上記背景カーテンの上記前面の中央部に装着可能に構成したものであることを特徴とする上記第１又は２記載の装飾用カーテンにより構成される。
【００１５】
第４に、上記ドレープカーテンは左右対称形状のものを一対に設け、左右一対の上記各ドレープカーテンを上記背景カーテンの左右位置に左右対称に装着したものであることを特徴とする上記第１〜３の何れかに記載の装飾用カーテンにより構成される。
【００１６】
上記ドレープカーテンはドレープカーテン（２）とドレープカーテン（２’）を背景カーテン（１）の前面に左右対称に装着することができるし、さらに他のドレープカーテン（３）と他のドレープカーテン（３’）を上記背景カーテン（１）の前面に左右対称に装着することができる。
【考案の効果】
【００１７】
上述のように、本考案によれば、背景幕（ホリゾント幕）を構成する背景カーテンの金属製水平装着部への装着は、背景カーテンの帯状磁気吸着部を金属製水平装着部に磁気的に吸着することにより可能であり、さらにドレープカーテンを面ファスナーにより背景カーテンに装着可能であるため、装飾用カーテンのセッティングを短時間に行うことができる。
【００１８】
また、装飾用カーテンのセッティングに際し、従来必要であって多数の着脱ベルトの装着部への結合、或いは多数の係合フックの係合リングへの係合等の面倒な作業を行うことなく、装飾用カーテンのセッティングを簡易な作業により短時間で行うことができる。
【図面の簡単な説明】
【００１９】
【図１】本考案に係る装飾用カーテンの正面図である。
【図２】同上カーテンの分解図である。
【図３】同上カーテンの背景カーテンの背面の上端部の拡大図である。
【図４】同上カーテンのバックル付着脱ベルト近傍の拡大図である。
【図５】同上カーテンのバックル付着脱ベルトを水平金属製ポールに取り付ける状況を示す図であり、（ａ）は同ベルトの装着前、（ｂ）は同ベルトの装着直前、（ｃ）は同ベルトの装着状態を示す図である。
【図６】同上カーテンの背景カーテンの一方側面ファスナー近傍の正面図である。
【図７】（ａ）は同上カーテンのドレープカーテンの他方側面ファスナー近傍の背面図、（ｂ）は同上ドレープカーテンの一方側面ファスナー近傍の正面図である。
【図８】（ａ）は同上カーテンの他のドレープカーテンの他方側面ファスナー近傍の背面図、（ｂ）は同上カーテンのタペストリーの他方側面ファスナー近傍の背面図である。
【図９】同上カーテンの組み立て状態を示す縦断面図である。
【図１０】図１のＸ−Ｘ線断面図である。
【図１１】図１のＹ−Ｙ線断面図である。
【考案を実施するための形態】
【００２０】
以下、添付図面に基づいて本考案の装飾用カーテンを詳細に説明する。
【００２１】
図１、図２に示すように、本考案に係る装飾用カーテン１０は、金属製水平装着部としての水平金属製ポール５に装着され、背景幕（ホリゾント幕）を構成する背景カーテン１（例えば幅４ｍ１０ｃｍ）と、該背景カーテン１の前面側の左右位置に左右対称に装着され、上記背景カーテン１と同じ長さのドレープカーテン２，２’、３，３’と、上記背景カーテン１の中央部に装着され上記背景カーテン１と同じ長さのタペストリー４、上記背景カーテン１の上縁最前部に取り付けられる上飾りカーテン２２から構成される。
【００２２】
この装飾用カーテン１０は、例えば結婚披露宴の雛壇の背景の装飾として構成されるものであり、雛壇としてのテーブル（図示せず）の背景にセッティングされるものである。
【００２３】
上記背景カーテン１は、その背面１ａの上縁部の左右方向の全域に亘り、袋状に区画形成することにより、複数（実施形態では２２個）の袋状マグネット収納ポケット６，・・を所定間隔（例えば１０ｃｍ又は２０ｃｍ間隔）で連続的に形成し、上記袋状マグネット収納ポケット６，・・の各々にマグネットＭ（全２２個）を収納することで、上記複数のマグネットＭが所定間隔で左右方向に連続的に並設する帯状磁気吸着部７を形成する。
【００２４】
そして、上記背景カーテン１の上記帯状磁気吸着部７を当該吸着部７を構成する生地（袋状マグネット収納ポケットの形成生地、布地）１’を介して上記水平金属製ポール５に磁気吸着力により吸着固定する（図１０、図１１参照）。
【００２５】
上記帯状磁気吸着部７は、図３に示すように、背景カーテン１の上縁部に上記生地１’からなる幅Ｔの帯状布７’を宛てがい、当該帯状布７’の下縁を糸で左右方向に縫合８し、かつ糸で上下方向に複数箇所縫合９して区画することにより、左右方向に連続する上記袋状マグネット収納ポケット６，・・を形成し、各ポケット６内に上記マグネットＭを１つずつ収納し、その後、上記帯状布７’の上縁を糸で左右方向に縫合８’して上記ポケット６を閉鎖することにより形成する。
【００２６】
上記マグネットＭは、例えばリング状のネオジウム磁石であり、直径２５ｍｍ、幅６ｍｍのものを使用する。このマグネットＭの１個は、常温で１１ｋｇの磁気吸着力を有しているので、このマグネットＭを２２個用いることにより、本考案に係る装飾用カーテンを当該マグネットＭにより上記水平金属製ポール５に確実に装着することができる。
【００２７】
また、図１、図２に示すように、上記背景カーテン１の上記帯状磁気吸着部７の左右両端部と中央部の３箇所にバックル付き着脱ベルト１１を取り付ける。このバックル付着脱ベルト１１は、図４に示すように、上記背景カーテン１の上記背面１ａ側において、ベルト部１２の中央部の左右縁を上記帯状布７’に糸で縫合１３，１３’することにより、上記帯状布７’に取り付けられており、上記ベルト部１２の一端部には受側バックル１４ａ、上記ベルト部１２の他端部には挿入側バックル１４ｂが設けられており、上記帯状磁気吸着部７を上記水平金属製ポール５に磁気的に吸着した状態で、図５（ａ）に示すように、上記ベルト部１２を上記ポール５に巻き付け、上記両バックル１４ａ，１４ｂを結合することにより、上記水平金属製ポール５に装着するものである（図５、図１０参照）。尚、上記背景カーテン１の横幅が短いものであれば、バックル付き着脱ベルト１１は中央部に１箇所でも良いし、背景カーテン１の左右位置２箇所でも良い。
【００２８】
さらに上記背景カーテン１の上記前面１ｂであって、上記背景カーテン１の上縁部の左右方向に沿って一方側面ファスナー１５，１５を固定する（図２参照）。この面ファスナー１５，１５は上記ドレープカーテン２，２’を取り付けるためのものであり、上記背景カーテン１の上縁部の左側と右側に左右対称に一定範囲に亘る長さのものを取り付ける。この面ファスナー１５，１５の上記背景カーテン１前面１ｂへの取り付けは、縫合１５’又は接着等の方法により行われる（図６参照）。
【００２９】
また、上記背景カーテン１の上記前面１ｂの上縁部の中央に上記タペストリー４を装着するためのタペストリー用の一方側面ファスナー２０を固定する（図１参照）。この一方側面ファスナー２０の背景カーテン１前面１ｂへの取り付けは、上記面ファスナー１５と同様に、縫合又は接着等の方法により行われる。
【００３０】
尚、上記ドレープカーテン２，２’及び他のドレープカーテン３，３’は左右対称形状であるため、図１において左側のドレープカーテン２，３の説明を行い、右側のドレープカーテン２’，３’は対応部分に同一符号を付して便宜上説明は省略する。
【００３１】
上記ドレープカーテン２は、方形のカーテンの右側縁部の上下方向の中央部２ａから下側を絞り、上記中央部２ａから上側に湾曲状のドレープ部２ｂを構成したものである。このカーテン２の上縁部の背面２ｄ側には、その左右方向の略全域に、上記一方側面ファスナー１５に接合可能な他方側面ファスナー１６が縫合１６’又は接着等の方法により固定されている（図７（ａ）参照）。
【００３２】
さらに、このドレープカーテン２の上縁部の前面２ｅ側には、その左右方向の略全域に、上記他のドレープカーテン３を取り付けるための一方側面ファスナー１７が上記面ファスナー１６と同様に縫合１７’又は接着等の方法により固定されている（図７（ｂ）参照）。
【００３３】
従って、上記ドレープカーテン２，２’は、上記背景カーテン１が上記水平金属製ポール５に装着された後、その背面２ｄ側の他方面ファスナー１６，１６を、上記背景カーテン１の上記一方側面ファスナー１５，１５に接合することで、図１に示すように、上記背景カーテン１の両側に上記ドレープカーテン２，２’を装着することができる。
【００３４】
上記他のドレープカーテン３は、上記ドレープカーテン２よりも若干横幅の狭いカーテンであり、上記ドレープカーテン２と同様の形状を有している。即ち、上記他のドレープカーテン３は、方形のカーテンの右側縁部の上下方向の中央部３ａから下側を絞り、上記中央部３ａから上側に湾曲状のドレープ部３ｂを構成したものである。このカーテン３の上縁部の背面３ｄ側には、その左右方向の略全域に、上記一方側面ファスナー１７に接合可能な他方側面ファスナー１８が縫合１８’又は接着等の方法により固定されている（図８（ａ）参照）。
【００３５】
従って、上記他のドレープカーテン３，３’は、上記ドレープカーテン２，２’が上記背景カーテン１に装着された後、その背面３ｄ側の他方側面ファスナー１８，１８を、上記ドレープカーテン２，２’の上記一方側面ファスナー１７，１７に接合することで、図１に示すように、上記ドレープカーテン２，２’の前面２ｅ，２ｅに上記他のドレープカーテン３，３’を装着することができる。
【００３６】
上記ドレープカーテン２，２’は例えばチュールレース生地によるカーテンとし、上記他のドレープカーテン３，３’は例えばラメ織によるカーテンとすることで、装飾効果を高めることができる。
【００３７】
上記タペストリー４は、縦長の長方形状をなしており、その上縁部の背面４ａに他方側面ファスナー２１が上記タペストリー４の背面４ａに対して縫合２１’又は接着の方法により固定されている（図８（ｂ）参照）。
【００３８】
従って、上記タペストリー４は上記水平金属製ポール５に装着された背景カーテン１の上記前面１ｂ側の上記タペストリー用の一方側面ファスナー２０に上記他方側面ファスナー２１を接続することで、上記背景カーテン１中央部に固定することができる。
【００３９】
尚、上記背景カーテン１の前面１ｂ上端部にはドレープカーテン２，２’の取付位置を示す印Ａ，Ａが左右対称位置に表示されており、上記ドレープカーテン２，２’の前面２ｅ上端部には上記取付位置Ａ，Ａに位置を合わせるための印Ａ’，Ａ’、及び、他のドレープカーテン３，３の位置合わせ用の印Ｂ，Ｂが上記印Ａ’，Ａ’に隣接して表示されており、上記他のドレープカーテン３，３の前面３ｃ上端部には上記印Ｂ，Ｂに位置を合わせるための印Ｂ’，Ｂ’が表示されている。
【００４０】
本考案は、上述のように構成されるものであるから、本考案に係る装飾用カーテン１０を構成するには、まず、会場において１対の昇降ワイヤー２３，２３を天井から降下させ、これらワイヤー２３，２３の下端に１本の水平金属製ポール５を水平に接続する。尚、上記水平金属製ポール５の高さは、当該ポール５にカーテンを装着し易い高さとする。
【００４１】
次に、背景カーテン１の背面１ａ側の帯状磁気吸着部７の中央部を上記水平金属製ポール５に水平に宛てがい、上記中央部のマグネットＭを上記水平金属製ポール５に磁気的に吸着固定すると共に、中央のバックル付着脱ベルト１１を上記ポール５に巻き付けてそのバックル１４ａ，１４ｂを結合する。
【００４２】
その後、上記帯状磁気吸着部７の中央部から左右の複数のマグネットＭを順次上記水平金属製ポール５に磁気的に吸着固定して行く。これにより、上記吸着部７の各袋状マグネット収納ポケット６内のマグネットＭ（２２個）が上記水平金属製ポール５に吸着するため、当該背景カーテン１の背面１ａ側の上縁部は左右方向全域に亘って上記水平金属製ポール５に固定される。このとき、上記マグネットＭはリング状であるため、水平金属製ポール５の円弧状周面が上記マグネットＭの中央開口部内に若干入り込むため、上記マグネットＭをより強力に上記ポール５に吸着させることができる（図１０、図１１の水平金属製ポール５の二点鎖線参照）。
【００４３】
その後、上記帯状磁気吸着部７の左右位置に設けられているバックル付着脱ベルト１１，１１のベルト部１２，１２を各々上記水平金属製ポール５の両端部に巻き付け、各々のバックル１４ａ，１４ｂを結合して、当該ベルト１１（３箇所）により、上記背景カーテン１の上縁部３箇所（中央部及び両端部）を上記水平金属製ポール５に結合する。これにより、万が一、上記マグネットＭと上記ポール５との吸着が外れても、当該背景カーテン１の上記水平金属製ポール５からの脱落を防止することができる。このように、背景カーテン１の上記水平金属製ポール５への取り付けは、基本的にマグネットＭによる装着であり、バックル付着脱ベルト１１の上記ポール５への装着は３本のみ（又は１本又は２本）で足りるので、背景カーテン１の上記水平金属製ポール５への取り付けを極めて簡単に、かつ、短時間で行うことができる。
【００４４】
次に、上記背景カーテン１の前面１ｂの中央のタペストリー用の一方側面ファスナー２０にタペストリー４の背面４ａの他方側面ファスナー２１を接続して、上記背景カーテン１の前面１ｂ中央に上記タペストリー４を装着する。
【００４５】
次に、ドレープカーテン２，２’（中央部２ａ絞られていない）を背景カーテン１の両側位置に左右対称形状となるように取り付ける。このとき、上記背景カーテン１の取付位置Ａ，Ａにドレープカーテン２，２’の取付位置Ａ’，Ａ’を合わせ、上記背景カーテン１の両側の一方側面ファスナー１５，１５にドレープカーテン２，２’の背面２ｄ，２ｄの他方側面ファスナー１６，１６を接続する。これにより、上記背景カーテン１の前面１ｂの両側位置に上記ドレープカーテン２，２’を装着することができる。その後、上記中央部２ａ，２ａを絞り、絞った位置にカーテンを固定してドレープ部２ｂ，２ｂを形成する。
【００４６】
このとき、上記ドレープカーテン２，２’の上記背景カーテン１への取り付けは、バックル付き着脱ベルトは存在せず、面ファスナー１５，１６のみにより容易に行うことができるので、装着作業が簡単であり、短時間で行うことができる。
【００４７】
次に、他のドレープカーテン３，３’（中央部３ａは絞られていない）を各々上記ドレープカーテン２，２’の前面に左右対称形状となるように取り付ける。このとき、上記ドレープカーテン２，２’の取付位置Ｂ，Ｂに上記他のドレープカーテン３，３’の取付位置Ｂ’，Ｂ’を合わせ、上記ドレープカーテン２，２’の前面２ｂ，２ｂの一方側面ファスナー１７，１７に上記他のドレープカーテン３，３’の背面３ｄ，３ｄの他方側面ファスナー１８，１８を接続する。これにより、上記ドレープカーテン２，２’の前面２ｅ，２ｅに上記他のドレープカーテン３，３’を装着することができる。その後、上記他のドレープカーテン３，３’の中央部３ａ，３ａを絞り、絞った位置にカーテンを固定してドレープ部３ｂ，３ｂを形成する。
【００４８】
このとき、上記他のドレープカーテン３，３’の上記ドレープカーテン２，２’への取り付けは、バックル付き着脱ベルトは使用せず、面ファスナー１７，１８のみにより容易に行うことができるので、装着作業が簡単であり、短時間で装着を行うことができる。
【００４９】
その後、上飾りカーテン２２の固定用紐２２ａ，２２ａを上記水平金属製ポール５に締結し、上記背景カーテン１の上端部の帯状磁気吸着部７の部分を隠す（図１、図２参照）。
【００５０】
以上により装飾用カーテン１０の上記ポール５への取り付けが完成するので、その後は図示しない昇降機構によりワイヤー２３，２３によって水平金属製ポール５を上昇させ、上記背景カーテン１の下端が床面に接する高さまで当該背景カーテン１を上昇する。以上の作業により、図１に示す装飾用カーテン１０が完成する。
【００５１】
上述のように、本考案によれば、背景幕（ホリゾント幕）を構成する背景カーテン１の金属製水平装着部としての水平金属製ポール５への装着は、背景カーテン１の帯状磁気吸着部７を上記水平金属製ホール５に磁気的に吸着することにより可能であり、さらにドレープカーテン２，２’を面ファスナー１５，１６により背景カーテン１に装着可能であるため、装飾用カーテン１０のセッティングを短時間に行うことができる。
【００５２】
また、装飾用カーテンのセッティングに際し、従来必要であった多数の連結ベルトの装着部への結合、或いは多数の係合フックの係合リングへの係合等の面倒な作業を行うことなく、マグネットＭによる磁気吸着と、少数箇所（１箇所又は２箇所又は３箇所、即ち１箇所〜３箇所）の連結ベルトの結合のみにより、装飾用カーテンのセッティングを簡易に行うことができるため、従来の装飾用カーテンに比較して、作業時間を１／４〜１／５に短縮することができる。
【００５３】
尚、図２中、Ｃ，Ｃ’はタペストリーの取付位置を示す印、Ｄは上飾りカーテン２２の取付位置としての中心を示す印である。
【産業上の利用可能性】
【００５４】
本考案に係る装飾用カーテンは、極めて簡易な作業によりセッティングが可能であるので、各種宴会、披露宴の装飾として広く用いることができる。
【符号の説明】
【００５５】
１              背景カーテン
１’            形成生地（袋状マグネット収納ポケットの形成生地）
１ａ            背面
１ｂ            前面
２，２’        ドレープカーテン
２ｅ            前面
３，３’        他のドレープカーテン
３ｄ            背面
４              タペストリー
５              水平金属製ポール（金属製水平装着部）
６              袋状マグネット収納ポケット
７              帯状磁気吸着部
１１            バックル付着脱ベルト（連結ベルト）
１５            一方側面ファスナー
１６            他方側面ファスナー
１７            一方側面ファスナー
１８            他方側面ファスナー
２０            タペストリー用の一方側面ファスナー
２１            他方側面ファスナー
Ｍ              マグネット
【図１】
0003174258.tif 000003
【図２】
0003174258.tif 000004
【図３】
0003174258.tif 000005
【図４】
0003174258.tif 000006
【図５】
0003174258.tif 000007
【図６】
0003174258.tif 000008
【図７】
0003174258.tif 000009
【図８】
0003174258.tif 000010
【図９】
0003174258.tif 000011
【図１０】
0003174258.tif 000012
【図１１】
0003174258.tif 000013